【手続補正書】
【提出日】平成25年5月23日(2013.5.23)
【手続補正１】
【補正対象書類名】特許請求の範囲
【補正対象項目名】全文
【補正方法】変更
【補正の内容】
【特許請求の範囲】
【請求項１】
ロータリー式包装装置に隣接して結束機が配置され、ロータリー式包装装置と結束機の間には、被包装物が充填された包袋を受け渡す受渡し装置と、前記包袋を受渡し装置から結束機に搬送する送り機構とが配置された包装装置システムであって、
前記受渡し装置は、ロータリー式包装装置と送り機構の間で回動しながら包袋を受け渡すと共に、被包装物が充填された包袋の表裏を反転させる旋回機構を備え、
送り機構は、往復移動して前記受渡し装置から結束機へ被包装物が充填された包袋を搬送し、
結束機は、送り機構により搬送されてきた包袋の開口端部を蛇腹状に折り畳む蛇腹機構を備えた、
ことを特徴とする包装装置システム。
【請求項２】
前記受渡し装置は、包袋を挟持するグリップを備え、前記ロータリー式包装装置から前記送り機構へ前記包袋を受け渡す際に、前記グリップを旋回して包袋の表裏を反転可能とする旋回機構を備えたことを特徴とする請求項１に記載の包装装置システム。
【請求項３】
前記送り機構は、包袋を前後から挟持する挟持片が設けられた一対のアームを備え、前記受渡し装置から前記結束機間に敷設されたガイドロッド上を前記アームが往復移動して前記アームにより吊り下げられた包袋を搬送することを特徴とする請求項１に記載の包装装置システム。
【請求項４】
結束機は、結束機本体と、この結束機本体に揺動可能に取付けられた揺動枠体からなり、包袋の開口端部を挟持して蛇腹状に折り畳む一対の蛇腹部を前記結束機本体と揺動枠体とに設けた蛇腹機構を装備し、前記蛇腹機構により挟持する包袋の開口端部の中心を一点で押えて支持する一点押え機構を備えた、ことを特徴とする請求項１に記載の包装装置システム。
【手続補正２】
【補正対象書類名】明細書
【補正対象項目名】発明の名称
【補正方法】変更
【補正の内容】
【発明の名称】包装装置システム
【手続補正３】
【補正対象書類名】明細書
【補正対象項目名】０００１
【補正方法】変更
【補正の内容】
【０００１】
本発明は、包装装置により、包袋に被包装物を充填して開口部を熱シールした後、包袋の上部を蛇腹状に折り畳んで、結束バンド等で結束する結束機及び包袋を結束機側に受け渡す受渡し装置を備えた包装装置システムに関するものである。
【手続補正４】
【補正対象書類名】明細書
【補正対象項目名】０００８
【補正方法】変更
【補正の内容】
【０００８】
本発明は、上記課題を解決するためになされたものであり、包装装置から結束機へ包袋を供給する場合に、包袋供給向きを変更可能とし、結束バンドの絞り位置を変更可能とする受渡し装置を備えた包装装置システムを提供することを目的とするものである。さらに、本発明は、上記課題を解決するために、被包装物を包装した包袋を搬送するためのコンベアを必要としない簡単な構造の送り機構を備えた包装装置システムを提供することを目的とするものである。
【手続補正５】
【補正対象書類名】明細書
【補正対象項目名】０００９
【補正方法】変更
【補正の内容】
【０００９】
そこで本発明の包装装置システムは、ロータリー式包装装置に隣接して結束機が配置され、ロータリー式包装装置と結束機の間には、被包装物が充填された包袋を受け渡す受渡し装置と、前記包袋を受渡し装置から結束機に搬送する送り機構とが配置された包装装置システムであって、前記受渡し装置は、ロータリー式包装装置と送り機構の間で回動しながら包袋を受け渡すと共に、被包装物が充填された包袋の表裏を反転させる旋回機構を備え、送り機構は、往復移動して前記受渡し装置から結束機へ被包装物が充填された包袋を搬送し、結束機は、送り機構により搬送されてきた包袋の開口端部を蛇腹状に折り畳む蛇腹機構を備えた、ことを特徴とする。
【手続補正６】
【補正対象書類名】明細書
【補正対象項目名】００１０
【補正方法】変更
【補正の内容】
【００１０】
受渡し装置は、包袋を挟持するグリップを備え、ロータリー式包装装置から送り機構へ前記包袋を受け渡す際に、前記グリップを旋回して包袋の表裏を反転可能とする旋回機構を備えたことを特徴とする。本発明の受渡し装置は、被包装物が充填された包袋の表裏を反転させるために旋回可能とする。
【手続補正７】
【補正対象書類名】明細書
【補正対象項目名】００１１
【補正方法】変更
【補正の内容】
【００１１】
送り機構は、包袋を前後から挟持する挟持片が設けられた一対のアームを備え、受渡し装置から結束機間に敷設されたガイドロッド上を前記アームが往復移動して前記アームにより吊り下げられた包袋を搬送することを特徴とする。本発明の送り機構は、往復移動して前記受渡し装置から結束機へ被包装物が充填された包袋を挟持片で吊り下げながら搬送することができる。
【手続補正８】
【補正対象書類名】明細書
【補正対象項目名】００１２
【補正方法】変更
【補正の内容】
【００１２】
結束機は、結束機本体と、この結束機本体に揺動可能に取付けられた揺動枠体からなり、包袋の開口端部を挟持して蛇腹状に折り畳む一対の蛇腹部を前記結束機本体と揺動枠体とに設けた蛇腹機構を装備し、前記蛇腹機構により挟持する包袋の開口端部の中心を一点で押えて支持する一点押え機構を備えた、ことを特徴とする。本発明の結束機は、送り機構により吊り下げられながら搬送されてきた包袋の開口端部を蛇腹機構により挟持するとともに、包袋の中心を一点で押えて支持することができるので、蛇腹機構だけでは挟持しきれない包袋でも落下するおそれが殆んどなくなる。
【手続補正９】
【補正対象書類名】明細書
【補正対象項目名】００１３
【補正方法】変更
【補正の内容】
【００１３】
前記構成により、本発明の包装装置システムは、被包装物を包装した包袋の開口端部を結束バンドで結束する際に、結束バンドの絞り位置を変更可能とする。
【手続補正１０】
【補正対象書類名】明細書
【補正対象項目名】００１５
【補正方法】変更
【補正の内容】
【００１５】
以下において、前記図１から図６を用いて、包装装置システムを説明する。
【手続補正１１】
【補正対象書類名】明細書
【補正対象項目名】００１６
【補正方法】変更
【補正の内容】
【００１６】
図１及び図４に示すように、ロータリー式包装装置１に隣接して結束機３が配置され、ロータリー式包装装置１と結束機３の間には被包装物が充填された包袋４を円弧軌道に沿って回動しながら受け渡す受渡し装置５と包袋４を受渡し装置５から結束機３に直線状に搬送する送り機構６が配置されている。
【手続補正１２】
【補正対象書類名】明細書
【補正対象項目名】００２０
【補正方法】変更
【補正の内容】
【００２０】
第２のレバー３４Ｂには、プレート３５がネジにより固定されている。このプレート３５の先端部に４本のステーボルト３６が上方に突出して取り付けられ、その上端部にエアーで駆動するアクチュエータ３７が取り付けられている。４本のステーボルト３６で囲まれたプレート３５の真ん中に軸受け３８が取り付けられ、前記のアクチュエータ３７の回転軸３９が軸支されている。このアクチュエータ３７の回転軸３９はエアーによって作動し、正逆方向に回動する。
【手続補正１３】
【補正対象書類名】明細書
【補正対象項目名】００２８
【補正方法】変更
【補正の内容】
【００２８】
ベース４６には、支軸４８が２個配置され、各支軸４８に、正面視において段状のアーム４９が取り付けられ、そのアーム４９の先端上方に図２の正面視Ｔ字形の挟持片５０が水平に取り付けられている。一対のアーム４９の下端部には、扇形の歯車５１が取り付けられ、一方のアーム４９をエアーシリンダ５２で回動することにより、開いていた一対のアーム４９の挟持片５０が合掌状に閉じて包袋４を挟持する。この送り機構６の特徴は、被包装物が充填された包袋４の真ん中より少し上あたりを挟持片５０で挟持して、アーム４９で吊り下げた状態で搬送することである。このため、特許文献２のコンベアのように設置スペースを必要とせず、構造も比較的簡単である。なお、図２の符号５３は振止めガイド板である。
【手続補正１４】
【補正対象書類名】明細書
【補正対象項目名】００２９
【補正方法】変更
【補正の内容】
【００２９】
次に、結束機について説明する。
図５は結束機の側面図を示している。実線で示す結束機３は、図５の状態ではメンテナンス及びリール（図示せず）交換時の作業性が悪くなる。この結束機３は取付け台６０上にヒンジ６１を介して結束機本体３Ａが取り付けられている。通常の結束作業の場合、結束機本体３Ａを立てた状態でロックする。メンテナンス及びリール交換時には、上部に取り付けたハンド３Ｂを引いて図５の二点鎖線で示す結束機本体３Ａが倒れ掛かる状態まで寝かせると、メンテナンス及びリール交換作業が容易となる。
【手続補正１５】
【補正対象書類名】図面
【補正対象項目名】図５
【補正方法】変更
【補正の内容】
【図５】
2011255904.tif 000001